(57)【要約】【課題】  ガセット袋の正面部と側面折り込み部とが連接する各立辺に沿って、塑性変形可能な複数の縦方向線状部材を、正確で迅速かつ簡単に位置決めして、安定した状態で効率良く取り付けてゆくことを可能にして、優れた再封性を有する袋を容易に得ることのできるガセット袋を提供する。【解決手段】  前後一対の正面部１４と、これらの正面部１４の内側に折り込み可能な左右一対の側面折り込み部１５とを備え、自立させた状態で上端取出し口１１を開口しつつ収容物を取り出せるようにしたガセット袋１０であって、正面部１４と側面折り込み部１５とが連接する各立辺１７に沿って、縦長の線状部材挿入袋１６が形成されており、これらの線状部材挿入袋１６に挿入配置されることにより、塑性変形可能な縦方向線状部材１８が取出し口部１３から胴部１２にかけて各々取り付けられている。線状部材挿入袋１６は、ヘムシール部２３に形成されている。【選択図】  図２
2005104559.tif 000002
【特許請求の範囲】
【請求項１】
前後一対の正面部と、これらの正面部の内側に折り込み可能な左右一対の側面折り込み部とを備え、自立させた状態で上端取出し口を開口して、収容物を取り出せるようにしたガセット袋であって、
前記正面部と前記側面折り込み部とが連接する各立辺に沿って、縦長の線状部材挿入袋が形成されており、これらの線状部材挿入袋に挿入配置されることにより、塑性変形可能な縦方向線状部材が取出し口部から胴部にかけて各々取り付けられているガセット袋。
【請求項２】
前記線状部材挿入袋は、袋を構成するシート材料を前記立辺において折り返して最内層のシーラント層を所定のシール幅で接合することによって設けられる、折返しシール部に形成されている請求項１記載のガセット袋。
【請求項３】
前記側面折り込み部を挟んだ両側の縦方向線状部材は、前記側面折り込み部を横断して配置された塑性変形可能な横方向線状部材を介して上端部が連結されて、該横方向線状部材と共にコの字形状を形成しており、且つ該横方向線状部材は、前記側面折り込み部に接合されている請求項１又は２に記載のガセット袋。
【請求項４】
前後一対の正面部と、これらの正面部の内側に折り込み可能な左右一対の側面折り込み部とを備えるガセット袋に塑性変形可能な縦方向線状部材を取り付けるための線状部材取付け方法であって、
前記正面部と前記側面折り込み部とが連接する各立辺に沿って、縦長の線状部材挿入袋を、これの上端開口とガセット袋の上端開口との間に当該挿入袋が形成されていないクリアランス部を保持した状態でガセット袋の内側に形成し、
前記縦方向線状部材の下端部を、ガセット袋の上端開口から前記クリアランス部を越えない長さでガセット袋の上部内側に配置すると共に、当該下端部を各立辺に内側から外側に向かって押しつけるようにして前記各挿入袋の上端開口の直上部分に前記縦方向線状部材を各々位置決めし、
しかる後に、位置決めした各縦方向線状部材を下方に移動して前記線状部材挿入袋に挿入すると共に、前記線状部材挿入袋の上端部分を封止して、前記各縦方向線状部材を取り付けるガセット袋への線状部材取付け方法。
【発明の詳細な説明】
【技術分野】
【０００１】
本発明は、ガセット袋及びガセット袋への線状部材取付け方法に関し、特に前後一対の正面部と、これらの正面部の内側に折り込み可能な左右一対の側面折り込み部とを備えるガセット袋及びガセット袋への線状部材取付け方法に関する。
【背景技術】
【０００２】
ガセット袋は、一枚又は複数枚のシート材料から形成される、前後一対の正面部と、これらの正面部の内側にＶ字状に折り込み可能な左右一対の側面折り込み部とを備える袋であって、側面折り込み部を折り込んで平坦に折り畳まれている状態から、開口部付近の折り込み部分を開いて矩形形状の上端開口を形成し、この上端開口から内部に種々の収容物を収容できるようになっている。
【０００３】
また、ガセット袋は、これを構成するシート材料や当該ガセット袋の形態等を工夫することにより、その用途が拡大している。例えば粉状又は粒状の洗剤等を収容する袋容器として、上端開口を封止することにより収容物を封入した状態で製品化され、使用者は、上端の封止部分を切り取って上端開口を形成し、洗剤等を繰り返し取り出して使用できるようにした自立可能なガセット袋においては、封止部分を切り取った後に開口した上端開口を再び容易に閉塞できるようにする必要がある他、再度開口した上端開口から洗剤等を容易に取り出せるようにする必要がある。
【０００４】
このようなガセット袋の上端開口の開閉を容易かつスムーズにできるようにすると共に、閉塞時に収容物を効果的に保存できるようにする手段として、例えば本願出願人の出願に係る特願２００３−１１４９１２号には、ガセット袋の正面部と側面折り込み部とが連接する各立辺に沿って、塑性変形可能な縦方向線状部材を取出し口部から胴部にかけて取り付けたり、さらに横方向線状部材を取り付けたものが開発されている。
【０００５】
一方、袋の開口部付近に塑性変形可能な線状部材を取り付ける一般的な取付け方法としては、例えば袋の製造時に袋を構成するフィルム（シート材料）の接合部に塑性金属材を介在させつつ、当該接合部を熱融着や接着剤を介して接合する方法（例えば、特許文献１，２参照）や、接着テープの接着面に塑性金属材を貼着したものを袋の任意の位置に取り付ける方法等が知られている（例えば、特許文献１参照）。
【特許文献１】特開平１１−１０００４８号公報
【特許文献２】特開２０００−７２１５９号公報
【発明の開示】
【発明が解決しようとする課題】
【０００６】
しかしながら、上記従来のシート材料からなる袋に塑性変形可能な線状部材を取り付けてゆくための一般的な方法によれば、例えばこれらの方法を、正面部と側面折り込み部とが連接するガセット袋の４箇所の立辺に沿って各々縦方向線状部材を取り付けてゆく際に適用する場合には、その作業が煩雑になって効率良く各縦方向線状部材を取り付けてゆくことが困難である。すなわち、４箇所の立辺に沿って４本の縦方向線状部材を同時に取り付けることが難しいため、ガセット袋の向きを変えつつ縦方向線状部材を各々正確に位置決めしながら取り付けてゆく必要が生じて、これらの作業に多くの手間がかかることになる。
【０００７】
本発明は、ガセット袋の正面部と側面折り込み部とが連接する各立辺に沿って、塑性変形可能な複数の縦方向線状部材を、正確で迅速且つ簡単に位置決めして、安定した状態で効率良く取り付けてゆくことを可能にして、優れた再封性を有する袋を容易に得ることのできるガセット袋及びガセット袋への線状部材取付け方法を提供することを目的とする。
【課題を解決するための手段】
【０００８】
本発明は、前後一対の正面部と、これらの正面部の内側に折り込み可能な左右一対の側面折り込み部とを備え、自立させた状態で上端取出し口を開口して、収容物を取り出せるようにしたガセット袋であって、前記正面部と前記側面折り込み部とが連接する各立辺に沿って、縦長の線状部材挿入袋が形成されており、これらの線状部材挿入袋に挿入配置されることにより、塑性変形可能な縦方向線状部材が取出し口部から胴部にかけて各々取り付けられているガセット袋を提供することにより、上記目的を達成したものである。
【０００９】
また、本発明は、前後一対の正面部と、これらの正面部の内側に折り込み可能な左右一対の側面折り込み部とを備えるガセット袋に塑性変形可能な縦方向線状部材を取り付けるための線状部材取付け方法であって、前記正面部と前記側面折り込み部とが連接する各立辺に沿って、縦長の線状部材挿入袋を、これの上端開口とガセット袋の上端開口との間に当該挿入袋が形成されていないクリアランス部を保持した状態でガセット袋の内側に形成し、前記縦方向線状部材の下端部を、ガセット袋の上端開口から前記クリアランス部を越えない長さでガセット袋の上部内側に配置すると共に、当該下端部を各立辺に内側から外側に向かって押しつけるようにして前記各挿入袋の上端開口の直上部分に前記縦方向線状部材を各々位置決めし、しかる後に、位置決めした各縦方向線状部材を下方に移動して前記線状部材挿入袋に挿入すると共に、前記線状部材挿入袋の上端部分を封止して、前記各縦方向線状部材を取り付けるガセット袋への線状部材取付け方法を提供することにより、上記目的を達成したものである。
【００１０】
ここで、塑性変形可能な縦方向線状部材は、例えば金属製の針金や、板、細幅状板、メッシュ、リボン、或いは形状記憶合金、形状記憶樹脂等からなり、手の指の力で容易に折り曲げて変形させることができると共に、折り曲げ後のガセット袋の形状を容易に保持できる程度の塑性変形性を備える線状部材であり、且つ例えば取出し口部を折り返してガセット袋を閉塞した際に、取出し口部のシート材料の折り返し復元力に抵抗して、取出し口部の折り返し状態を安定して保持できる程度の塑性変形時の保形剛性を有するものである。また線状部材には、針金等の線形部材の他、ある程度の幅をもった例えば細長い帯板状の部材も含まれる。さらに、塑性変形可能な縦方向線状部材として、例えば針金等の金属製の線状部材を用いる場合には、これらを被覆樹脂によって覆った状態で用いることが好ましい。
【００１１】
また、ガセット袋の取出し口部は、当該ガセット袋を閉塞するために例えばこれの上端部分から下半部分に至る領域における適宜の位置で折り返した際の、当該折り返し部及びこれよりも上方に位置する部分であり、ガセット袋の胴部は、この折り返し部よりも下方に位置して、収容物を収容する本体部分を構成する部分である。すなわち、本発明によれば、ガセット袋を閉塞する際に折り返される折り返し部の位置は、ガセット袋に収容された収容物の減少等に伴って上下方向に移動してゆくものであり、このような折り返し部の位置は予め特定されることなく所定の領域内で任意に選択されるものであることから、閉塞時にガセット袋が実際に折り返される折り返し部を挟んだ上方部分を取出し口部、下方部分を胴部として規定するものである。したがって、「塑性変形可能な縦方向線状部材を取出し口部から胴部にかけて取り付ける」とは、閉塞時に少なくとも折り返し部が位置すると予想されるガセット袋の上下方向の領域に亘って、上記縦方向線状部材が取り付けられていることを意味するものである。
【発明の効果】
【００１２】
本発明のガセット袋及びガセット袋への線状部材取付け方法によれば、ガセット袋の正面部と側面折り込み部とが連接する各立辺に沿って、塑性変形可能な複数の縦方向線状部材を、正確で迅速かつ簡単に位置決めして、安定した状態で効率良く取り付けてゆくことを可能にして、優れた再封性を有する袋を容易に得ることができる。
【発明を実施するための最良の形態】
【００１３】
図１〜図３に示す本発明の好ましい第１実施形態に係るガセット袋１０は、収容物として例えば粉末状の洗剤を収容する容器として用いられ、上端取出し口１１を封止して製品化されている状態から、使用者がガセット袋１０の封止部分を切り取り線２９に沿って切り取って上端取出し口１１を開口形成し、当該上端取出し口１１から洗剤を繰り返し取り出して使用できるようにすると共に、洗剤を必要量取り出したら、その都度、取出し口部１３をスムーズ且つ安定した状態で閉塞させて（図６参照）、収容された洗剤を効果的に保存することを可能にするものである。すなわち、本第１実施形態に係るガセット袋１０は、粉粒状の洗剤を収容した洗剤製品を構成するものである。
【００１４】
そして、本第１実施形態のガセット袋１０は、前後一対の正面部１４と、これらの正面部１４の内側に折り込み可能な左右一対の側面折り込み部１５とを備え、自立させた状態で上端取出し口１１を開口して、例えば開口した状態を維持しつつ収容された洗剤を片手で容易に取り出せるようにした洗剤用の袋容器であって、正面部１４と側面折り込み部１５とが連接する４箇所の各立辺１７に沿って、縦長の線状部材挿入袋１６が形成されており、これらの線状部材挿入袋１６に挿入配置されることにより、塑性変形可能な４本の縦方向線状部材１８が、取出し口部１３から胴部１２にかけて各々取り付けられている。
【００１５】
本第１実施形態によれば、ガセット袋１０は、予め設計された所定の形状に切断加工された１枚又は複数枚のシート材料２２に、公知の各種の折り曲げ加工や接合加工を施すことにより、矩形形状を有する底部１９と、底部１９の各辺部から立設する前後一対の正面部１４及び左右一対の側面折り込み部１５によって周囲を囲まれて、洗剤を収容する袋容器の本体部分を構成する胴部１２と、この胴部１２の上方部分に一体として連続配置され、当該ガセット袋１０を閉塞する際に折り返される部分である取出し口部１３とからなるガセット袋容器として形成されるものである。またガセット袋１０は、上端取出し口１１から収容物である粉末状の洗剤を予め設計された所定量投入した後に、左右一対の側面折り込み部１５をＶ字状に内側に折り込むようにしながら上端取出し口１１にトップシール２１（図３参照）を施して封止することにより、投入された洗剤１６を内部に封入すると共に、洗剤の未収容部分である取出し口部１３を例えば２重に折り返した状態で、洗剤製品として製品化されている（図１参照）。
【００１６】
また、本第１実施形態によれば、ガセット袋１０を構成するシート材料２２として、アルミ箔層を含む多層シートが用いられており、好ましくは、例えば最外層である第１層がポリエステル、第２層がポリエチレン、第３層がアルミ箔、第４層がポリエチレン、最内層である第５層がシーラント層からなる５層構造の多層シートを用いることができる。また多層シートにおけるアルミ箔層の厚さは、５〜５０μｍとすることが好ましく、５〜２０μｍとすることがさらに好ましい。シート材料２２としてアルミ箔層を含む多層シートを用いることにより、再封（リシール）する際の折り曲げ作業を容易にすることができ、さらに、袋にしわ等が発生し難くなってガセット袋１０の外観を良好に保持することが可能になる。
【００１７】
そして、本第１実施形態によれば、前後一対の正面部１４と左右一対の側面折り込み部１５は、胴部１２及び取出し口部１３の４箇所の各立辺１７において、シート材料２２の最内層のシーラント層を立辺１７に沿って例えば、好ましくは３〜２０ｍｍ程度、更に好ましくは８〜１５ｍｍ程度のヘムシール幅で折返し接合することにより、折返しシール部であるヘムシール部２３が設けられており、このヘムシール部２３に線状部材挿入袋１６が形成されている。
【００１８】
すなわち、ヘムシール部２３は、各立辺１７において、内側のシーラント層を対面させるようにして折り返したシート材料２２の折り返し部を、シールバーで外側から挟み込んで熱融着することにより、図２及び図３に示すように、シールバーの挟み込み面の形状に沿った形状で縦長に形成されると共に、これの上半部分において、外縁部側の略半分の部分を熱融着することなく残置することにより、当該残置された部分によって、正面部１４と側面折り込み部１５とが連接する各立辺１７に沿って、縦長の線状部材挿入袋１６が各立辺１７の外側部分に各々形成されることになる。このときに、各立辺１７の線状部材挿入袋１６のさらに外側部分にヘムシール部２３と同様の熱融着部分を形成してもよい。
【００１９】
また、本第１実施形態によれば、ヘムシール部２３は、ガセット袋１０の上端取出し口１１の開口縁部から１０〜５０ｍｍ程度下方の位置までしかその熱融着によるシール接合がなされておらず、これによって、線状部材挿入袋１６の上端開口とガセット袋１０の上端開口である上端取出し口１１の開口縁部との間には、線状部材挿入袋１６が形成されていないクリアランス部２４が保持されることになる。なお、本第１実施形態によれば、各立辺１７に沿ってヘムシール部２３が形成されていることにより、ガセット袋１０の形状保持性及び取出し口１１の開口保持性が効果的に補完されることになる。
【００２０】
そして、本第１実施形態によれば、上述のようにしてガセット袋１０の各立辺１７に沿ってクリアランス部２４を保持した状態でガセット袋１０の内側に形成された４箇所の線状部材挿入袋１６には、手作業により４本の線状部材を確実で迅速かつ簡単に挿入することが可能であるが、例えば、以下のような方法によって、４本の縦方向線状部材１８が、同時に位置決めされつつ挿入配置されて、取出し口部１３から胴部１２にかけて各々取り付けられることになる。
【００２１】
すなわち、例えば図４に示すように、まず上端取出し口１１を上方に向けて開口させた状態でガセット袋１０を保持すると共に、上端取出し口１１の上方において、当該上端取出し口１１の矩形形状よりも小さな矩形形状２６の４箇所の角部に相当する位置に４本の縦方向線状部材１８を配置し、これらの縦方向線状部材１８を支持装置を用いて各々垂直に支持する。次に、垂直に支持した４本の縦方向線状部材１８の下端部を、ガセット袋１０の上端開口である上端取出し口１１からクリアランス部２４を越えない長さでガセット袋１０の上部内側に同時に配置すると共に、各下端部を、各立辺１７に内側から外側に向かって押し付けるようにしつつこれの隅まで移動させて、４箇所の線状部材挿入袋１６の上端開口の直上部分に４本の縦方向線状部材を各々位置決めする。しかる後に、位置決めした４本の縦方向線状部材１８を同時に下方に移動して線状部材挿入袋１６に各々挿入すると共に、例えば図３に示すように、縦方向線状部材１８が挿入された線状部材挿入袋１６の上端部分をポイントシール２５によって封止することにより、４本の縦方向線状部材１８が、線状部材挿入袋１６に封入された状態で容易かつ効率良くガセット袋１０に取り付けられることになる。
【００２２】
ここで、本第１実施形態によれば、線状部材挿入袋１６に挿入配置される縦方向線状部材１８として、図５に示すように、例えば０．１〜５ｍｍ、好ましくは０．３〜１ｍｍの太さの金属製の針金２７を被覆樹脂２８で覆ったものを用いることができる。ここで、被覆樹脂２８としては、例えばポリオレフィン系樹脂、塩化ビニル、ポリエステル系樹脂、ポリアミド系樹脂等を用いることができ、例えば０．０５〜３ｍｍの厚さで針金２７の周囲を覆うことができる。縦方向線状部材１８として針金２７を被覆樹脂２８で覆ったものを用いることにより、針金２７の厚さ（径）を実質的に大きくして、縦方向線状部材１８の折り曲げ強度を向上させることが可能になると共に、縦方向線状部材１８が折り曲げられる際の折り曲げ半径大きくして、繰り返し曲げ耐久性を効果的に向上させることが可能になる。また被覆樹脂２８は、金属製の針金２７を幅広の平たい形状で覆うことが好ましく、これによって縦方向線状部材１８のハンドリング性を向上させることが可能になる。
【００２３】
そして、縦方向線状部材１８が取り付けられた本第１実施形態のガセット袋１０には、上端取出し口１１から洗剤が所定量投入された後、上端取出し口１１に沿ってトップシール２１を施してこれを封止することにより、ガセット袋１０は投入された洗剤１６を内部に封入した洗剤製品として製品化されることになる。またトップシール２１は、ヘムシール部２３の上端に施されたポイントシール２５と間隔をおいて施されており、この間隔部分を横切るようにして、切り取り線２９が融着接合部と交差することなく延設されることになる。
【００２４】
本第１実施形態のガセット袋１０は、上述のように粉末状の洗剤１６を封入した状態で洗剤製品として製品化され、使用者は、上端の封止部分を切り取り線２９に沿って切り取って上端取出し口１１を開口形成し、洗剤１６を繰り返し取り出して使用することになるが、本第１実施形態のガセット袋１０によれば、自立させながら上端取出し口１１を開かせた状態を容易に保持可能とすることにより、洗剤１６を効率良く取り出すことができると共に、取出し口部１３を容易且つ確実に閉塞して洗剤１６を効果的に保存しつつ、当該洗剤を繰り返し取り出してゆくことができる。
【００２５】
すなわち、本第１実施形態によれば、ガセット袋１０には、正面部１４と側面折り込み部１５とが連接する４箇所の立辺１７に沿って設けられた線状部材挿入袋１６に挿入配置されて、塑性変形可能な縦方向線状部材１８が取出し口部１３から胴部１２にかけて各々取り付けられているので、上端取出し口１１を開封して矩形形状に開放した際に、４箇所の立辺１７において立設する縦方向線状部材１８が４隅における柱としての機能を果たして、上端取出し口１１を矩形形状に広く開放した状態に容易に保持することが可能になり、これによって、自立させた状態においても、収容物である洗剤を容易且つ効率良く取り出すことが可能になる。
【００２６】
また、４箇所の立辺１７に沿って配置された縦方向線状部材１８は、手の指の力で容易に折り曲げて変形させることができると共に、折り曲げ後の形状を容易に保持できる程度の塑性変形性を備えており、且つ取出し口部１３を折り返してガセット袋１０を閉塞した際に、取出し口部１３のシート材料２２による折り返し復元力に効果的に抵抗して、取出し口部１３の折り返し状態を安定して保持できる程度の塑性変形時の保形剛性を有しているので、側面折り込み部１５を内側に折り込みつつ上端取出し口１１における一対の正面部１４の上端を重ね合わて当該上端取出し口１１を閉じながら、図６に示すように縦方向線状部材１８と共に取出し口部１３のシート材料２２を折り返し部２０に沿って下方に折り返すだけの簡単な操作によって、ガセット袋１０の取出し口部１３を容易且つ確実に閉塞することが可能になる。
【００２７】
さらに、本第１実施形態によれば、４箇所の立辺１７に沿って縦方向線状部材１８を取り付ける作業は、正面部１４と側面折り込み部１５とが連接する各立辺１７に沿ってガセット袋１０の内側に形成された線状部材挿入袋１６の上端開口の直上部分に縦方向線状部材１８を各々位置決めし、しかる後に位置決めした縦方向線状部材１８を下方に移動させて線状部材挿入袋１６に挿入すると共に、線状部材挿入袋１６の上端部分を封止するだけの簡単な作業によって行うことができるので、４本の縦方向線状部材１８を同時に位置決めしたり下方に移動させつつ、効率良く取付け作業を行うこと可能になる。
【００２８】
したがって、本第１実施形態によれば、ガセット袋１０の正面部１４と側面折り込み部１５とが連接する各立辺１７に沿って、塑性変形可能な複数の縦方向線状部材１８を、同時に位置決めしつつ安定した状態で効率良く取り付けてゆくことを可能にして、優れた再封性を有するガセット袋１０を容易に得ることが可能になる。
【００２９】
図７は、本発明の好ましい第２実施形態に係るガセット袋３０を、上端取出し口をトップシールによって封止する前の側面図として示すものであり、本第２実施形態のガセット袋３０によれば、上記第１実施形態の構成要件に加えて、各側面折り込み部１５を挟んだ両側の線状部材挿入袋１６に挿入配置された縦方向線状部材１８は、各側面折り込み部１５を横断して配置された塑性変形可能な横方向線状部材３１を介して上端部が連結されて、この横方向線状部材３１と共にコの字形状を形成しており、且つ横方向線状部材３１は、各側面折り込み部１５の内側面に沿って接合されている。
【００３０】
ここで、横方向線状部材３１は、縦方向線状部材１８と同様に、金属製の針金２７を被覆樹脂２８で覆った線状部材からなるものであり、例えば縦方向線状部材１８の長さを加えた相当の長さで切断した線状部材を曲折加工することにより、両側の縦方向線状部材１８に一体として連続してこれらと共にコの字形状線状部材３２を形成している。
【００３１】
また、本第２実施形態に係るガセット袋３０によれば、図８に示すように、上記第１実施形態のガセット袋１０と略同様にして、コの字形状線状部材３２の縦方向線状部材１８を垂直に支持し、ガセット袋３０の上端取出し口１１を外側に押し拡げるようにしつつ、線状部材挿入袋１６の直上部分に縦方向線状部材１８を位置決めすると共にこれを下方に移動して、縦方向線状部材１８を線状部材挿入袋１６に挿入した後、ポイントシール２５を施すことによって、縦方向線状部材１８を線状部材挿入袋１６に封入した状態で取り付ける。一方、線状部材挿入袋１６からはみ出た横方向線状部材３１は、例えばこれの被覆樹脂２８を介してシート材料２２のシーラント層に熱融着されることにより、側面折り込み部１５の内側面に沿って接合されることになる。なお、横方向線状部材３１を側面折り込み部１５に接合する際には、シーラント層との熱融着が可能なシート片で覆った状態で横方向線状部材３１を側面折り込み部１５に接合することもできる。
【００３２】
そして、本第２実施形態に係るガセット袋３０によれば、上記第１実施形態のガセット袋１０と同様の作用効果を奏すると共に、一対の縦方向線状部材１８の上端部分の間に横方向線状部材３１が各側面折り込み部１５を横断するように設けられているので、上端取出し口１１を開口する際に、横方向線状部材３１を直線状に復元して支持させることにより、内側に折り込まれていた側面折り込み部１５を延ばした状態として、矩形形状に拡がった上端取出し口１１を容易に保持することが可能になり、これによって、収容した洗剤の取り出しをさらに容易且つ効率良く行うことが可能になる。
【００３３】
なお、本発明は、上記各実施形態に限定されることなく種々の変更が可能である。例えば、当該袋を構成するシート材料は、アルミ箔層を含む上記構成の多層シートである必要は必ずしもなく、アルミ箔層を含まないシート材料や単層のシート材料であっても良い。例えばポリオレフィン系樹脂、塩化ビニル、ポリエステル系樹脂、ポリアミド系樹脂等からなるシート材料を、単層又は多層で用いることができる。また収容される収容物は、粉末状の洗剤である必要は必ずしもなく、シャンプーやリンス等の液体収容物や、菓子等の固体収容物等、その他の各種の収容物を収容する袋容器として使用することもできる。
【００３４】
また、縦長の線状部材挿入袋及び縦方向線状部材は、少なくとも取出し口部から胴部にかけて設けられていれば良く、各立辺の略全長に亘って設けることもできる。さらに、各立辺に沿って設けられる線状部材挿入袋は、折返しシール部に形成されている必要は必ずしもない。
【図面の簡単な説明】
【００３５】
【図１】本発明の第１実施形態に係るガセット袋を用いた洗剤製品を示す斜視図である。
【図２】本発明の第１実施形態に係るガセット袋を示す斜視図である。
【図３】本発明の第１実施形態に係るガセット袋を、線状部材挿入袋を透視した状態で示す正面図である。
【図４】本発明の第１実施形態に係るガセット袋において線状部材挿入袋に縦方向線状部材を取り付ける状況の説明図である。
【図５】縦方向線状部材の構成を説明する斜視図である。
【図６】取出し口部を折り返してガセット袋を閉塞する状態を示す斜視図である。
【図７】本発明の第２実施形態に係るガセット袋を、線状部材挿入袋を透視した状態で示す側面図である。
【図８】本発明の第２実施形態に係るガセット袋において線状部材挿入袋に縦方向線状部材を取り付ける状況の説明図である。
【符号の説明】
【００３６】
１０，３０  ガセット袋
１１  上端取出し口
１２  胴部
１３  取出し口部
１４  正面部
１５  側面折り込み部
１６  線状部材挿入袋
１７  立辺
１８  縦方向線状部材
１９  底部
２０  折り返し部
２１  トップシール
２２  シート材料
２３  ヘムシール部
２４  クリアランス部
２５  ポイントシール
２６  小さな矩形形状
２７  針金
２８  被覆樹脂
２９  切り取り線
３１  横方向線状部材
３２  コの字形状線状部材
【図１】
2005104559.tif 000003
【図２】
2005104559.tif 000004
【図３】
2005104559.tif 000005
【図４】
2005104559.tif 000006
【図５】
2005104559.tif 000007
【図６】
2005104559.tif 000008
【図７】
2005104559.tif 000009
【図８】
2005104559.tif 000010